(57)【要約】【課題】人の手を借りなくても腕立て歩行ができる腕立て歩行器具を提供すること。【解決手段】前輪１と前輪１の中心に位置する、車軸１２と車軸１２の左右の前輪上部にコの字型状に一体構成されたフレーム１４A、１４Bと、これらフレーム１４A,１４Bに固着された揺動可能に軸支された足乗せ台２a一対と連結部材８一対で連結されている足乗せ台３b一対とその下方に延びるフレーム１４Aに固着されたスタンド４と前輪後方に上端部が車軸にナットで固定された後輪部材９と下端部に後輪１１一対があり、また足乗せ台２a、３bに足を乗せる事で後方に下がりすぎるとストッパー６で止まる、また車軸１２の下方に延びるフレーム１４Aと連結部材９の間にコイルバネと、から成り、人の手を借りなくても腕立て歩行できように構成した。【選択図】図１
0003154142.tif 000002
【実用新案登録請求の範囲】
【請求項１】
前輪１と、前輪１の中心に位置する車軸１２と、車軸１２の両端に揺動可能に軸支され、コの字型状に一体構成され、連結部材８で連結された一対のフレーム１４Aとフレーム１４Bと、フレーム１４Aとフレーム１４Bに固着された一対の足乗せ台２aと、一対の足乗せ台３bと前記フレーム１４Aは足乗せ台２aとは反対方向に延び、その端部にスタンド１１が形成され、バネ１０により端部に後輪１１が取り付けられ後輪部材９と連結し、後輪部材９は支持部材７により連結されていることを特徴とする腕立て歩行器具。
【考案の詳細な説明】
【技術分野】
【０００１】
本考案は、腕立て歩行を補助者無しでもできる器具に関するものである。
【背景技術】
【０００２】
図４に示すように、特に腕、肩の筋力を必要するスポーツをする準備段階として、他の人に足首を持ってもらい腕立て歩行をしていた、他の人に足首を持ってもらい歩行する事は、他の人と意気が合っていないと、スピードが合わず腕が挫けたり、止まれなかったりする、
また、腕立て歩行者が補助者より重い場合、補助者が不安定になりふらつく、それにより手首が捻挫すると言う事も考えられた。
なお、下記の特許文献１には、手で操作レバーを操作し、後輪を地面から浮かさずに、スタンドを立てることができる手動式両脚スタンドが記載されている。しかしながら、スタンドを立てる際、操作レバーを手で操作する事には労力が依然必要であった。
【先行技術文献】
【特許文献】
【０００３】
【特許文献１】特開２００８−８７７２０
【考案の概要】
【考案が解決しようとする課題】
【０００４】
本考案は、従来の補助者に足首を持ってもらい腕立て歩行に上記のような難点があった事を考え、一人でもできる腕立て歩行器具を提供する、また、足乗せ台に足を乗せるとスタンドが上がる機能も提供することを技術的課題とする。
【課題を解決するための手段】
【０００５】
前輪１と、前輪１の中心に位置する車軸１２と、車軸１２の両端に揺動可能に軸支され、コの字型状に一体構成され、連結部材８で連結された一対のフレーム１４Aとフレーム１４Bと、フレーム１４Aとフレーム１４Bに固着された一対の足乗せ台２aと、一対の足乗せ台３bと、前記フレーム１４Aは足乗せ台２aとは反対方向に延び、その端部にスタンド１１が形成され、バネ１０により端部に後輪１１が取り付けられ後輪部材９と連結し、後輪部材９は支持部材７により連結されていることを特徴とする腕立て歩行器具。
【考案の効果】
【０００６】
本発明に係わる腕立て歩行器具によれば、前輪左右に連結されたフレームに取り付けられた足乗せ台に足を乗せることでスタンドが上がり、スピーディで安定した腕立て歩行ができ、必ずしも他の人に足首を持ってもらい腕立て歩行をする必要がない、したがって、いつでも何処でも安全に腕立て歩行を行うことができる。
また、腕立て歩行を行う事により、腕、肩、背筋の鍛錬及びバランス感覚も養われる、さらに、腕立て歩行を止めるとその場で腕立てができ、手、手首、腕を使ってジャンプを行うことでより以上の運動能力を高めることが出来る。
また、後輪一対を後輪一輪に図４する事で高度なバランス感覚が要求される為、スピードを競う競技用として活用できる。
【図面の簡単な説明】
【０００７】
【図１】本実施形態の腕立て歩行器具の全体側面図である。
【図２】図１の腕立て歩行器具の正面図である。
【図３】図１の腕立て歩行器具のスタンドを上げた状態の全体側面図である。
【図４】変形例の腕立て歩行器具の全体側面図である。
【図５】本考案の腕立て歩行器具を使用している状態の実例図である。
【図６】従来の腕立て歩行の実例図である。
【考案を実施するための形態】
【０００８】
以下、図１〜図３を参照しながら、本実施形態の腕立て歩行器具について説明する。
本実施形態の腕立て歩行器具は主として、図１〜図３に示すように、前輪左右に連結されたフレーム１４Aとフレーム１４Bに固着された揺動可能に軸支された足乗せ台２a一対と連結部材８で連結されている足乗せ台３b一対と車軸１２の下方に延びる揺動可能に軸支されたスタンド４と後輪１１一対とスタンドを元に戻すコイルバネ１０一対と足乗せ台が所定角度以上に下がるとストッパー６で止まる構造と、から構成されている
足乗せ台２aと足乗せ台３bは連結部材８で連結されており、図１で示すように足乗せ台２aと３bは足乗せ台の下方の車軸１２と共にナットで固定されているが、足乗せ台２aと３bは揺動可能に軸支されている、また、足乗せ台２aと３bに両足を乗せる事により下方に延びフレーム１４Aに固着されたスタンド４が上がり（図２参照）腕立て歩行が可能となる。
【０００９】
また、スタンド４と後輪１１一対とで前輪全体を起立姿勢をバランスよく保っているが、スタンドの長さが短いとバランスを崩し倒れてしまう、よってスタンドの長さは少なくても前輪６１センチに対しスタンドの長さ２８センチ以上が倒れにくい、また、スタンド４と車軸１２を連結する連結部材の間にはスタンドが上がり、戻り、をする為のコイルバネが設けられている。
ストッパー６一対は、足乗せ台２aと３bに足を乗せることで足乗せ台が下の方に揺動し、かつ、足乗せ台が所定角度以上に下方に揺動するとストッパー６で止まる、ストッパーはフレーム１４A、１４Bの上部に取り付けられた支持棒があり、下端部に溝が付いる、また、車軸と後輪を連結する、後輪部材７に固着されたネジあり、下端部に設けられた溝にネジを挿設する事で支持棒がスムーズに上下す事ができる
図５は、本考案の腕立て歩行器具を使用している状態の実例図である。
図６は、従来の腕立て歩行の実例図である。
以上、本実施形態の腕立て歩行器について説明したが、本考案はその他の形態でも実施することができる。
例えば、図５に示す、腕立て歩行器のように、後輪を一輪１３にしても良い。他の構成は上述した腕立て歩行器と同様である。
後輪１３は、足乗せ台２a３b左右に足を乗せると連動してスタンドが上がった状態では、後輪が一輪の為、前輪１と後輪１３が一直線になり足の重さが後輪一輪に掛かり不安定になるが、腕立て歩行者の両手、両腕、両肩でバランスを取ることで歩行が可能となる。
しかも、後輪一輪で不安定になるが、高度なバランス感覚が養われる事はもとより、スピードが出やすく早さを競う競技用としても可能である。
本考案の構造が有する問題点を解消するための更なる改良品の構造。
（１）足乗せ台２a３b左右は強化プラスチックで一体化しても、足に力が入らない、足が離れやすいと言った事はないはず。
（２）全体を軽くする為、連結部材を軽くて強度がある強化アルミにすることで、安定感が増す。
（３）足乗せ台が所定角度以上に下方に揺動するとストッパー６で止まるが、このストッパーを高さ調整としての機能を持たせることは可能である。
【符号の説明】
【００１０】
１、前輪
２a、足乗せ台
３b、足乗せ台
４、スタンド
６、ストッパー
７、支持部材
８，９後輪部材
１０、バネ
１１、後輪
１２、車軸
１３、後輪
１４A、フレーム
１４B、フレーム
【図１】
0003154142.tif 000003
【図２】
0003154142.tif 000004
【図３】
0003154142.tif 000005
【図４】
0003154142.tif 000006
【図５】
0003154142.tif 000007
【図６】
0003154142.tif 000008